(57)【特許請求の範囲】
【請求項１】
手術室における空調システムであって、
手術台の周囲で作業するスタッフの位置を検知する検知部と、
空調機から供給される空気を吹き出す吹出口モジュールと、
前記検知部により検知された前記スタッフの位置情報に基づいて、前記吹出口モジュールから吹き出される空気が前記スタッフに向かうように、前記吹出口モジュールから吹き出される空気の向きを制御する制御部とを備え、
前記検知部は、前記スタッフの皮膚温度を検知するように構成され、
前記吹出口モジュールは、吹き出される空気の量を調節するための風量調節機構を有し、
前記制御部は、前記検知部により検知された前記スタッフの皮膚温度情報に基づいて、前記吹出口モジュールから吹き出される空気の量を制御することを特徴とする空調システム。
【請求項２】
前記吹出口モジュールは、天井の高さ位置に設けられた球殻状の支持部と、該支持部の内側に滑動自在に収容された球殻状の可動部と、該可動部から外側へ突出した筒状のノズル部と、前記制御部からの指令にしたがって前記可動部を回転移動させる駆動部とを有することを特徴とする請求項１に記載の空調システム。
【請求項３】
前記検知部は、前記吹出口モジュールに取り付けられた赤外線アレイセンサを有することを特徴とする請求項２に記載の空調システム。
【請求項４】
前記赤外線アレイセンサは、その検出面が前記ノズル部の中心軸と直交するように前記可動部または前記ノズル部に取り付けられていることを特徴とする請求項３に記載の空調システム。
【請求項５】
前記赤外線アレイセンサは、その検出面の中心を通る法線が前記ノズル部の中心軸と一致するように前記ノズル部に取り付けられていることを特徴とする請求項４に記載の空調システム。
【請求項６】
前記検知部は、前記赤外線アレイセンサにおいて検出温度が変化したセルの中でより高い温度を検出したセルに対応する位置を前記スタッフの位置として検知するとともに、そのセルの検出温度を前記スタッフの皮膚温度として検知し、
前記制御部は、前記より高い温度を検出したセルの位置へ検出面の中心が位置するように前記可動部を回転移動させて前記吹出口モジュールから吹き出される空気の向きを制御し、検知した前記スタッフの皮膚温度に応じて前記吹出口モジュールから吹き出される空気の量を制御することを特徴とする請求項３乃至５のいずれか１項に記載の空調システム。
【請求項７】
手術室における空調システムであって、
手術台の周囲で作業するスタッフの位置を検知する検知部と、
空調機から供給される空気を吹き出す吹出口モジュールと、
前記検知部により検知された前記スタッフの位置情報に基づいて、前記吹出口モジュールから吹き出される空気が前記スタッフに向かうように、前記吹出口モジュールから吹き出される空気の向きを制御する制御部とを備え、
前記吹出口モジュールは、天井の高さ位置に設けられた球殻状の支持部と、該支持部の内側に滑動自在に収容された球殻状の可動部と、該可動部から外側へ突出した筒状のノズル部と、前記制御部からの指令にしたがって前記可動部を回転移動させる駆動部とを有し、
前記検知部は、前記吹出口モジュールに取り付けられた赤外線アレイセンサを有し、
前記赤外線アレイセンサは、その検出面が前記ノズル部の中心軸と直交するように前記可動部または前記ノズル部に取り付けられていることを特徴とする空調システム。
【請求項８】
前記赤外線アレイセンサは、その検出面の中心を通る法線が前記ノズル部の中心軸と一致するように前記ノズル部に取り付けられていることを特徴とする請求項７に記載の空調システム。
【請求項９】
前記検知部は、前記赤外線アレイセンサにおいて検出温度が変化したセルの中でより高い温度を検出したセルに対応する位置を前記スタッフの位置として検知するとともに、そのセルの検出温度を前記スタッフの皮膚温度として検知し、
前記制御部は、前記より高い温度を検出したセルの位置へ検出面の中心が位置するように前記可動部を回転移動させて前記吹出口モジュールから吹き出される空気の向きを制御し、検知した前記スタッフの皮膚温度に応じて前記吹出口モジュールから吹き出される空気の量を制御することを特徴とする請求項７または８に記載の空調システム。
【請求項１０】
前記ノズル部は、前記可動部の中心を通る回転軸を有する円筒状であって、
前記駆動部は、前記ノズル部の回転軸を中心とした円の円周方向に沿って前記可動部を回転移動させるために前記可動部の外側面に当接自在な第１回転ローラーと、前記ノズル部の回転軸を含む円の円周方向に沿って前記可動部を回転移動させるために前記可動部の外側面に当接自在な第２回転ローラーとを有することを特徴とする請求項２乃至９のいずれか１項に記載の空調システム。
【請求項１１】
天井から前記手術台に向かって清浄な空気を供給する患者用の吹出口を備え、
前記検知部と前記吹出口モジュールとの対が、前記患者用の吹出口の周囲に複数配設されていることを特徴とする請求項１乃至１０のいずれか１項に記載の空調システム。
【請求項１２】
手術室における空調方法であって、
検知部が、手術台の周囲で作業するスタッフの位置および前記スタッフの皮膚温度を検知することと、
制御部が、前記検知部により検知した前記スタッフの位置情報に基づいて、空調機から供給されて吹出口から吹き出される空気が前記スタッフに向かうように、前記吹出口から吹き出される空気の向きを制御することと、
前記制御部が、前記検知部により検知した前記スタッフの皮膚温度情報に基づいて、前記吹出口から吹き出される空気の量を制御することとを含むことを特徴とする空調方法。
【発明の詳細な説明】
【技術分野】
【０００１】
本発明は、手術室における空調システムおよび空調方法に関する。
【背景技術】
【０００２】
従来、手術室では、所定の温度および湿度に調整された清浄な空気を、天井から手術台に向かって層流を形成するように供給するのが一般的である。すなわち、従来技術では、手術台の上方に設置された患者用の層流吹出口からの給気だけで空調を行っている。
【発明の概要】
【発明が解決しようとする課題】
【０００３】
手術室において、手術者（執刀医；施術者）は、患者からの感染防止のための防護服を着用した状態で、無影灯やモニターなどからの熱の影響を受け易い位置で作業を行う。また、麻酔医やアシスタントなどの他のスタッフも、無影灯やモニターなどからの熱の影響をある程度受けたり、感染防止のための防護服を着用して作業を行ったりすることがある。その結果、手術室のスタッフ、とりわけ手術者は、かなり暑く感じる過酷な環境で、長時間に亘る作業に集中しなければならない。
【０００４】
本発明は、前述の課題に鑑みてなされたものであり、手術室のスタッフにとって快適な温熱環境を実現することのできる空調システムおよび空調方法を提供することを目的とする。
【課題を解決するための手段】
【０００５】
前記課題を解決するために、本発明の第１形態では、手術室における空調システムであって、
手術台の周囲で作業するスタッフの位置を検知する検知部と、
空調機から供給される空気を吹き出す吹出口モジュールと、
前記検知部により検知された前記スタッフの位置情報に基づいて、前記吹出口モジュールから吹き出される空気が前記スタッフに向かうように、前記吹出口モジュールから吹き出される空気の向きを制御する制御部とを備え、
前記検知部は、前記スタッフの皮膚温度を検知するように構成され、
前記吹出口モジュールは、吹き出される空気の量を調節するための風量調節機構を有し、
前記制御部は、前記検知部により検知された前記スタッフの皮膚温度情報に基づいて、前記吹出口モジュールから吹き出される空気の量を制御することを特徴とする空調システムを提供する。
【０００６】
本発明の第２形態では、手術室における空調システムであって、
手術台の周囲で作業するスタッフの位置を検知する検知部と、
空調機から供給される空気を吹き出す吹出口モジュールと、
前記検知部により検知された前記スタッフの位置情報に基づいて、前記吹出口モジュールから吹き出される空気が前記スタッフに向かうように、前記吹出口モジュールから吹き出される空気の向きを制御する制御部とを備え、
前記吹出口モジュールは、天井の高さ位置に設けられた球殻状の支持部と、該支持部の内側に滑動自在に収容された球殻状の可動部と、該可動部から外側へ突出した筒状のノズル部と、前記制御部からの指令にしたがって前記可動部を回転移動させる駆動部とを有し、
前記検知部は、前記吹出口モジュールに取り付けられた赤外線アレイセンサを有し、
前記赤外線アレイセンサは、その検出面が前記ノズル部の中心軸と直交するように前記可動部または前記ノズル部に取り付けられていることを特徴とする空調システムを提供する。
【０００７】
本発明の第３形態では、手術室における空調方法であって、
検知部が、手術台の周囲で作業するスタッフの位置および前記スタッフの皮膚温度を検知することと、
制御部が、前記検知部により検知した前記スタッフの位置情報に基づいて、空調機から供給されて吹出口から吹き出される空気が前記スタッフに向かうように、前記吹出口から吹き出される空気の向きを制御することと、
前記制御部が、前記検知部により検知した前記スタッフの皮膚温度情報に基づいて、前記吹出口から吹き出される空気の量を制御することとを含むことを特徴とする空調方法を提供する。
【発明の効果】
【０００８】
本発明では、手術台の周囲で作業するスタッフの位置を検知し、その位置情報に基づいて、空調機から供給されて吹出口から吹き出される空気がスタッフに向かうように、吹出口から吹き出される空気の向きを制御する。また、必要に応じて、スタッフの皮膚温度を検知し、その皮膚温度情報に基づいて、吹出口から吹き出される空気の量を制御する。その結果、本発明では、手術室のスタッフに吹き付けられる空気の作用により、スタッフの暑熱感を軽減することができ、ひいてはスタッフにとって快適な温熱環境を実現することができる。
【図面の簡単な説明】
【０００９】
【図１】本発明の実施形態にかかる空調システムの構成を概略的に示す系統図である。
【図２】図１の線Ａ−Ａに沿った断面からの透視図である。
【図３】本実施形態にかかる吹出口モジュールの構成を概略的に示す図である。
【図４】図３の線Ｂ−Ｂに沿った断面図である。
【図５】本実施形態にかかる吹出口モジュールの駆動機構を概略的に示す図である。
【図６】変形例にかかる吹出口モジュールの駆動機構を概略的に示す図である。
【発明を実施するための形態】
【００１０】
本発明の実施形態を、添付図面に基づいて説明する。図１は、本発明の実施形態にかかる空調システムの構成を概略的に示す系統図である。図２は、図１の線Ａ−Ａに沿った断面からの透視図である。図１および図２を参照すると、本実施形態にかかる空調システム、すなわち手術室１０における空調システムは、一対の患者用空調機２１と、一対のスタッフ用空調機３１とを備えている。
【００１１】
一対の患者用空調機２１は、主として手術台４１上の患者４２にとって快適な環境を実現するために用いられる。一対のスタッフ用空調機３１は、手術台４１の周囲のスタッフ、例えば手術者４３、アシスタント４４、麻酔医４５にとって快適な環境を実現するために用いられる。一例として、一対の患者用空調機２１および一対のスタッフ用空調機３１は、手術室１０のほぼ矩形状の床１１の対角線上においてそれぞれ対向するように配置されている。
【００１２】
患者用空調機２１から供給された空気、すなわち外部から取り込まれて所定の温度および湿度に調節された新鮮な空気は、ダクト２２を介して、ほぼ天井１２の高さ位置において手術台４１を覆うように配置された複数のＨＥＰＡフィルタ２３に達する。一例として、図１に示すように、４つの矩形状のＨＥＰＡフィルタ２３が縦横に整列配置されている。図１中左側の２つのＨＥＰＡフィルタ２３には、図１中左下側の患者用空調機２１からの空気が供給される。図１中右側の２つのＨＥＰＡフィルタ２３には、図１中右上側の患者用空調機２１からの空気が供給される。
【００１３】
ＨＥＰＡフィルタ２３を経て清浄化された空気は、天井１２の位置から手術台４１に向かって鉛直方向に吹き出される。さらに詳細には、ＨＥＰＡフィルタ２３を経た清浄空気は、いわゆる層流を形成しつつ、手術台４１上の患者４２に向かって供給される。層流を形成した清浄空気は、周囲の塵埃や粒子を実質的に巻き込むことなく患者４２まで達する。患者４２を経て床１１の近傍に達した空気は、壁１３の下端に設けられた開口部（不図示）を介して患者用空調機２１へ還流する。
【００１４】
ＨＥＰＡフィルタ２３から手術台４１に向かって供給される清浄空気は、主として手術台４１上の患者４２に作用し、手術台４１の周囲のスタッフ４３〜４５にはあまり影響を及ぼさない。したがって、ＨＥＰＡフィルタ２３から室内へ吹き出される清浄空気は、患者４２にとって快適な環境を実現するための所要の温度を有する。なお、ＨＥＰＡフィルタ２３の数およびその配置については、様々な変形例が可能である。また、患者用空調機２１の数およびその配置、ダクト２２とＨＥＰＡフィルタ２３との接続形態などについても、様々な変形例が可能である。
【００１５】
スタッフ用空調機３１から供給された空気、すなわち外部から取り込まれて所定の温度および湿度に調節された新鮮な空気は、ダクト３２およびその経路の途中に配設されたＨＥＰＡフィルタ３３を介して清浄化された後、ほぼ天井１２の高さ位置において４つのＨＥＰＡフィルタ２３の周囲に配設された複数の吹出口モジュール３４に達する。一例として、図１に示すように、８つの吹出口モジュール３４が、患者用の吹出口である４つのＨＥＰＡフィルタ２３の周囲に整列配置されている。
【００１６】
図１中上側の２つの吹出口モジュール３４および図１中左側の２つの吹出口モジュール３４には、図１中左上側のスタッフ用空調機３１からの空気が供給される。図１中右側の２つの吹出口モジュール３４および図１中下側の２つの吹出口モジュール３４には、図１中右下側のスタッフ用空調機３１からの空気が供給される。図２を参照すると、手術室１０において、天井１２と壁１３との間の隅角部には照明器具４６が設置され、天井１２から延びるアーム４７によって支持された無影灯４８が設置されている。なお、吹出口モジュール３４の数およびその配置については、様々な変形例が可能である。また、スタッフ用空調機３１の数およびその配置、ダクト３２と吹出口モジュール３４との接続形態などについても、様々な変形例が可能である。
【００１７】
図３は、本実施形態にかかる吹出口モジュールの構成を概略的に示す図である。図４は、図３の線Ｂ−Ｂに沿った断面図である。図５は、本実施形態にかかる吹出口モジュールの駆動機構を概略的に示す図である。図３を参照すると、本実施形態の吹出口モジュール３４は、ほぼ天井１２の高さ位置に設けられた球殻状の支持部３４ａと、支持部３４ａの内側に滑動自在に収容された球殻状の可動部３４ｂと、可動部３４ｂから外側（図３では下側）へ突出した円筒状のノズル部３４ｃと、可動部３４ｃを回転移動させる駆動部３４ｄとを有する。
【００１８】
駆動部３４ｄは、例えば複数の吹出口モジュール３４に共通の制御部３５（あるいは各駆動部３４ｄに対して個別に設けられた制御部３５）からの指令にしたがって、可動部３４ｃの回転移動を制御する。なお、図示を省略したが、吹出口モジュール３４は、吹き出される空気の量を調節するための風量調節機構として、例えばダンパー機構を内蔵している。
【００１９】
吹出口モジュール３４には、図３および図４に示すように、赤外線アレイセンサ３６が取り付けられている。一例として、赤外線アレイセンサ３６は、その検出面の中心を通る法線が円筒状のノズル部３４ｃの中心軸（回転軸）と一致するように、例えば十字状の線状支持部材３７の作用により、ノズル部３４ｃの下側面の高さ位置に取り付けられている。換言すれば、赤外線アレイセンサ３６は、その検出面がノズル部３４ｃの中心軸と直交するようにノズル部３４ｃに取り付けられている。赤外線アレイセンサ３６の出力は、制御部３５に供給される。
【００２０】
吹出口モジュール３４の駆動部３４ｄは、図５に示すように、例えばゴム製の第１ローラー５１ａをその軸線廻りに回転駆動する第１モーター５１ｂと、同じくゴム製の第２ローラー５２ａをその軸線廻りに回転駆動する第２モーター５２ｂとを有する。第１モーター５１ｂおよび第２モーター５２ｂは、制御部３５からの指令にしたがって、第１ローラー５１ａおよび第２ローラー５２ａをそれぞれ回転駆動する。
【００２１】
第１ローラー５１ａおよび第２ローラー５２ａは、それぞれ可動部３４ｂの外側面に当接自在に構成されている。そして、可動部３４ｂの外側面に当接した第１ローラー５１ａが回転することにより、可動部３４ｂはノズル部３４ｃの回転軸（中心軸）を含む円５３（図５中波線で示す）の円周方向に沿って回転移動する。また、可動部３４ｂの外側面に当接した第２ローラー５２ａが回転することにより、可動部３４ｂはノズル部３４ｃの回転軸を中心とした円５４（図５中波線で示す）の円周方向に沿って回転移動する。
【００２２】
赤外線アレイセンサ３６は、図４に示すように、マトリックス状に配置された複数（例えば８×８＝６４個）の赤外線センサ３６ａを有する。本実施形態において、吹出口モジュール３４は、ノズル部３４ｃの回転軸が鉛直方向を向くように、すなわち赤外線アレイセンサ３６の検出面（複数の赤外線センサ３６ａの配列面）が水平になるように初期設定される。この初期設定されたノーマルポジションにおいて、天井１２に沿って分散配置された８つの赤外線アレイセンサ３６の各々は、互いに異なるセンサ視野内における温度分布を検出することになる。
【００２３】
赤外線アレイセンサ３６は、所定の時間間隔で温度分布を検出し、その検出結果を制御部３５に供給する。制御部３５は、赤外線アレイセンサ３６から供給された温度分布の情報を処理し、手術台４１の周囲で作業するスタッフの位置および皮膚温度を検知する。以下、説明の理解を容易にするために、ノーマルポジションにおけるセンサ視野内に手術者４３が含まれる特定の赤外線アレイセンサ３６に着目して、本実施形態における検知作用を説明する。
【００２４】
制御部３５は、赤外線アレイセンサ３６において検出された時間間隔Δｔ（例えばΔｔ＝５秒）前後の温度分布を比較する。具体的に、前の温度分布において最も高い温度を検出したセル（画素）の位置が後の温度分布において変化しているか否かを調べる。そして、最も高い温度を検出したセルの位置が変化している場合、そのセルに対応する領域に移動物が存在するものと判断する。この場合、制御部３５は、後の温度分布において最も高い温度を検出したセルに対応する位置を手術者４３の位置として検知し、そのセルの検出温度を手術者４３の皮膚温度として検知する。
【００２５】
最も高い温度を検出したセルの位置が変化していない場合、そのセルに対応する領域に移動物が存在しないものと判断する。そこで、前の温度分布において二番目に高い温度を検出したセルの位置が後の温度分布において変化しているか否かを調べる。そして、制御部３５は、二番目に高い温度を検出したセルの位置が変化している場合、そのセルに対応する位置を手術者４３の位置として検知し、そのセルの検出温度を手術者４３の皮膚温度として検知する。位置の変化しないセルに対しては、温度が高くても、無影灯などの物体と判断し、追尾しない。
【００２６】
以上の動作を繰り返すことにより、制御部３５は、ノーマルポジションにおけるセンサ視野内に手術者４３が含まれる特定の赤外線アレイセンサ３６の検出結果に基づいて、手術台４１の周囲で作業する手術者４３の位置および皮膚温度を検知することができる。このことは、ノーマルポジションにおけるセンサ視野内に手術者４３以外のスタッフが含まれる別の赤外線アレイセンサ３６の検出結果に基づいて、手術台４１の周囲で作業する各スタッフの位置および皮膚温度を検知することができることを意味している。
【００２７】
このように、複数の吹出口モジュール３４に取り付けられた赤外線アレイセンサ３６および制御部３５は、手術台４１の周囲で作業するスタッフ４３〜４５の位置を検知し且つスタッフ４３〜４５の各皮膚温度を検知する検知部を構成している。そして、別の表現をすれば、検知部（３５，３６）は、赤外線アレイセンサ３６において検出温度が変化したセルの中でより高い温度を検出したセルに対応する位置をスタッフの位置として検知するとともに、そのセルの検出温度をスタッフの皮膚温度として検知する。
【００２８】
制御部３５は、そのより高い温度を検出したセルの位置へ赤外線アレイセンサ３６の検出面の中心が位置するように可動部３４ｂを回転移動させて、複数の吹出口モジュール３４から吹き出される空気の向きを個別に制御し、検知したスタッフの皮膚温度に応じて複数の吹出口モジュール３４から吹き出される空気の量を個別に制御する。すなわち、制御部３５は、検知されたスタッフの位置情報に基づいて、吹出口モジュール３４から吹き出される空気がスタッフに向かうように、複数の吹出口モジュール３４から吹き出される空気の向きを個別に制御し、検知されたスタッフの皮膚温度情報に基づいて、複数の吹出口モジュール３４から吹き出される空気の量を個別に制御する。こうして、検知部（３５，３６）の検知動作および制御部３５による吹出口モジュール３４の駆動制御をノーマルポジションから繰り返すことにより、ノーマルポジションにおいて捕捉したスタッフの位置を追尾し且つその皮膚温度の変化を逐次検知することができる。
【００２９】
以上のように、本実施形態では、手術台４１の周囲で作業するスタッフ４３〜４５の位置を検知し、その位置情報に基づいて、スタッフ用空調機３１から供給されて複数の吹出口モジュール３４から吹き出される空気がスタッフ４３〜４５に向かうように、複数の吹出口モジュール３４から吹き出される空気の向きを個別に制御する。また、スタッフ４３〜４５の皮膚温度を検知し、その皮膚温度情報に基づいて、複数の吹出口モジュール３４から吹き出される空気の量を個別に制御する。その結果、本実施形態では、手術室１０のスタッフ４３〜４５に吹き出される空気の作用（すなわち対流熱伝達作用）により、各スタッフ４３〜４５の暑熱感を軽減することができ、ひいてはスタッフ４３〜４５にとって快適な温熱環境を実現することができる。
【００３０】
具体的には、前述したように、患者４２からの感染防止のための防護服を着用した状態で、無影灯４７やモニター（不図示）などからの熱の影響を受け易い位置で作業を行う手術者４３の皮膚温度は上昇し易いため、その皮膚温度に応じた比較的大きい風量の空気を手術者４３に吹き出すことにより、手術者４３にとって快適な環境を実現することができる。また、無影灯４７やモニターなどからの熱の影響をある程度受けたり、感染防止のための防護服を着用して作業を行ったりする麻酔医４５やアシスタント４４などの他のスタッフの皮膚温度も上昇することがあるため、その皮膚温度に応じた比較的小さい風量の空気を他のスタッフにそれぞれ吹き出すことにより、各スタッフにとって快適な環境を実現することができる。
【００３１】
なお、上述の実施形態では、吹出口モジュール３４において、可動部３４ｂの外側面に当接自在な一対のローラー（回転ローラー）５１ａ，５２ａの作用により可動部３４ｂを回転移動させることにより、吹出口モジュール３４から吹き出される空気の向きを制御している。しかしながら、これに限定されることなく、吹出口モジュールの具体的な構成、吹出口モジュールにおける可動部の駆動機構などについては様々な変形例が可能である。
【００３２】
例えば図６に示す変形例にかかる吹出口モジュール３４Ａでは、二軸ジンバルの原理を利用した駆動機構を用いている。具体的に、吹出口モジュール３４Ａは、ノズル部３４ｃと一体に形成された球殻状の可動部３４ｂの中心を通るように図６中水平方向に延びる軸６１ａ廻りに可動部３４ｂを揺動させる第１モーター６１ｂと、可動部３４ｂの中心を通るように図６中鉛直方向に延びる軸６２ａ廻りに可動部３４ｂを回転させる第２モーター６２ｂとを備えている。
【００３３】
軸６２ａの先端部（第２モーター６２ｂとは反対側の端部）はコの字状のフレーム６３の中心部に連結され、フレーム６３の一対の下端部は天井１２の上側面に沿って円形状に延びるレール６４に沿って滑動自在に構成されている。天井１２と可動部３４ｂとの隙間は、例えばゴム製の蛇腹部材６５によって覆われている。そして、駆動部（６１ａ，６１ｂ，６２ａ，６２ｂ，６３，６４）を含む吹出口モジュール３４Ａは、ダクト３２と連通したチャンバ６６の内部に収容されている。
【００３４】
また、上述の実施形態では、吹出口モジュール３４において、球殻状の可動部３４ｂが球殻状の支持部３４ａの内側に滑動自在に収容され、円筒状のノズル部３４ｃが可動部３４ｂから外側へ突出している。また、手術台４０の周囲で作業するスタッフ４３〜４５の位置を検知する検知部が、その検出面の中心を通る法線が円筒状のノズル部３４ｃの中心軸と一致するようにノズル部３４ｃに取り付けられた赤外線アレイセンサ３６を有する。しかしながら、これに限定されることなく、検知部の具体的な構成、吹出口モジュールの具体的な構成、赤外線アレイセンサの吹出口モジュールへの取付け位置、取付け形態などについては、様々な変形例が可能である。
【００３５】
また、上述の実施形態では、空調機３１から供給される空気を吹き出す吹出口モジュール３４を手術室１０に適用している。しかしながら、これに限定されることなく、例えば厨房、スポットクーリング適用場所などに、本発明の吹出口モジュールを適用することができる。すなわち、所定位置に固定的に取り付けられた球殻状の支持部と、支持部の内側に滑動自在に収容された球殻状の可動部と、可動部から外側へ突出した筒状のノズル部と、可動部を回転移動させる駆動部とを備え、空調機から供給される空気を吹き出す本発明にかかる吹出口モジュールを、手術室以外の適当な場所に対して適用することができる。
【符号の説明】
【００３６】
１０  手術室
２１，３１  空調機
２２，３２  ダクト
２３，３３  ＨＥＰＡフィルタ
３４  吹出口モジュール
３４ａ  支持部
３４ｂ  可動部
３４ｃ  ノズル部
３４ｄ  駆動部
３５  制御部
３６  赤外線アレイセンサ
４１  手術台
４２  患者
４３〜４５  スタッフ
【図１】
0006394880.tif 000002
【図２】
0006394880.tif 000003
【図３】
0006394880.tif 000004
【図４】
0006394880.tif 000005
【図５】
0006394880.tif 000006
【図６】
0006394880.tif 000007